(57)【要約】【課題】ワンコンバータ方式の定電流電源を用いた点灯装置であって、負荷変動に対して安定して動作できる点灯装置を提供する。【解決手段】点灯装置１０は、交流電力が入力され、一段の電力変換によって、力率の改善及び負荷への定電流の供給を行う定電流電源装置１１と、定電流電源装置１１と、定電流電源装置１１から供給された定電流により点灯する光源１４との間に設けられ、光源１４を流れる電流を所定の変調周波数ｆｍでオンオフする変調部１３と、変調部１３と定電流電源装置１１との間に設けられたローパスフィルタ１２と、を備え、ローパスフィルタ１２は、定電流に重畳されるリップルを吸収するリップル吸収部１２ａを含む。【選択図】図２
2019061798.tif 000002
【特許請求の範囲】
【請求項１】
交流電力が入力され、一段の電力変換によって、力率の改善及び負荷への定電流の供給を行う定電流電源装置と、
前記定電流電源装置と、前記定電流電源装置から供給された前記定電流により点灯する光源との間に設けられ、前記光源を流れる電流を所定の変調周波数でオンオフする変調部と、
前記変調部と前記定電流電源装置との間に設けられたローパスフィルタと、を備え、
前記ローパスフィルタは、前記定電流に重畳されるリップルを吸収するリップル吸収部を含む、
点灯装置。
【請求項２】
前記ローパスフィルタの遮断周波数は、前記所定の変調周波数の１／１０以下である、
請求項１記載の点灯装置。
【請求項３】
前記リップル吸収部は、インダクタにより構成される、
請求項１または２記載の点灯装置。
【請求項４】
前記所定の変調周波数における前記インダクタのインピーダンスは、前記光源のインピーダンスの１／１０以上である、
請求項３記載の点灯装置。
【請求項５】
前記ローパスフィルタは、さらに、前記光源の両端電圧を平滑する定電圧部を含む、
請求項１〜４のいずれか１項に記載の点灯装置。
【請求項６】
前記定電圧部は、キャパシタにより構成される、
請求項５記載の点灯装置。
【請求項７】
前記光源と、
前記光源に電流を印加する請求項１〜６のいずれか１項に記載の点灯装置を備える、
照明器具。
【請求項８】
前記光源と、
前記光源に電流を印加する請求項１〜６のいずれか１項に記載の点灯装置と、
前記光源によって照らされ、文字及び図形の少なくとも一つを示す表示板と、を備える、
看板。
【発明の詳細な説明】
【技術分野】
【０００１】
本発明は、ＬＥＤ等の光源に電流を印加する点灯装置、点灯装置を備える照明器具、及び、照明器具を備える看板に関し、特に、可視光通信用の変調回路を備える点灯装置等に関する。
【背景技術】
【０００２】
近年、ＬＥＤ等の光源に電流を印加する点灯装置において、可視光通信用の変調回路を備えるものが提案されている（例えば、特許文献１参照）。このような点灯装置により、照明装置がデータ通信装置にもなり、便利なワイヤレス環境が構築される。
【先行技術文献】
【特許文献】
【０００３】
【特許文献１】特開２０１４−１４１１９号公報
【発明の概要】
【発明が解決しようとする課題】
【０００４】
一般的に、点灯装置等には、ＰＦＣ（Ｐｏｗｅｒ  Ｆａｃｔｏｒ  Ｃｏｒｒｅｃｔｉｏｎ）回路と呼ばれる力率改善回路を有する定電流電源が使用されている。ＰＦＣ回路を有する定電流電源の実現方法として、いわゆる、ワンコンバータ方式とツーコンバータ方式とが考えられる。ツーコンバータ方式の定電流電源は、ＰＦＣ回路と定電流回路とが分離された２段構成を有し、ＰＦＣ回路と定電流回路とがそれぞれ独立して制御される。したがって、ツーコンバータ方式の定電流電源は、定電流動作の応答性が高く、出力が安定するが、２段構成のためにコストが掛かり、また、大型化してしまう。一方で、ワンコンバータ方式の定電流電源は、ＰＦＣ回路と定電流回路とが一体化されており、１つまたは並列接続された複数のスイッチング素子を用いた一段の電力変換によって、力率の改善及び負荷への定電流の供給を行うことができるため、小型化及び低コストを実現できる。
【０００５】
しかしながら、ワンコンバータ方式の定電流電源では、可視光通信用の変調回路におけるスイッチングに由来する負荷変動により出力にリップルが重畳すると、定電流を発生させるためのフィードバック回路が当該リップルの影響を受け、出力が不安定となる。その結果、光源がチラついたり、定電流電源の入力電流が歪んだりしてしまう。これは、ワンコンバータ方式の定電流電源では、力率を高めるために、電力変換に用いるスイッチング素子のスイッチング制御を交流電源（商用電源）の周期に対してほぼ一定にする必要があり、当該スイッチング素子を負荷変動に対しても応答させることが難しいためである。
【０００６】
そこで、本発明は、上記課題に鑑みてなされたものであり、ワンコンバータ方式の定電流電源を用いた点灯装置であって、負荷変動に対して安定して動作できる点灯装置等を提供することを目的とする。
【課題を解決するための手段】
【０００７】
上記目的を達成するために、本発明の一形態に係る点灯装置は、交流電力が入力され、一段の電力変換によって、力率の改善及び負荷への定電流の供給を行う定電流電源装置と、前記定電流電源装置と、前記定電流電源装置から供給された前記定電流により点灯する光源との間に設けられ、前記光源を流れる電流を所定の変調周波数でオンオフする変調部と、前記変調部と前記定電流電源装置との間に設けられたローパスフィルタと、を備え、前記ローパスフィルタは、前記定電流に重畳されるリップルを吸収するリップル吸収部を含む。
【０００８】
上記目的を達成するために、本発明の一形態に係る照明器具は、前記光源と、前記光源に電流を印加する上記の点灯装置を備える。
【０００９】
上記目的を達成するために、本発明の一形態に係る看板は、前記光源と、前記光源に電流を印加する上記の点灯装置と、前記光源によって照らされ、文字及び図形の少なくとも一つを示す表示板と、を備える。
【発明の効果】
【００１０】
本発明により、ワンコンバータ方式の定電流電源を用いた点灯装置であって、負荷変動に対して安定して動作できる点灯装置等が提供される。
【図面の簡単な説明】
【００１１】
【図１】図１は、実施の形態１に係る点灯装置のブロック図である。
【図２】図２は、実施の形態１に係る点灯装置の回路図である。
【図３】図３は、実施の形態１に係るローパスフィルタのフィルタ特性を示す図である。
【図４】図４の（ａ）は、比較例に係る光源を流れる電流を示す図であり、図４の（ｂ）は、比較例に係る定電流電源装置の出力電流を示す図である。
【図５】図５の（ａ）は、実施の形態１に係る光源を流れる電流を示す図であり、図５の（ｂ）は、実施の形態１に係る定電流電源装置の出力電流を示す図である。
【図６】図６は、実施の形態２の応用例に係る照明器具の外観図である。
【図７】図７は、実施の形態２の応用例に係る看板の外観図である。
【発明を実施するための形態】
【００１２】
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１３】
（実施の形態１）
まず、実施の形態１に係る点灯装置１０について説明する。
【００１４】
図１は、実施の形態１に係る点灯装置１０のブロック図である。なお、図１には、点灯装置１０に交流電力を供給する交流電源１５及び点灯装置１０から電流を印加される光源１４（点灯装置１０の負荷となる発光素子）も示している。点灯装置１０は、光源１４に電流を印加する（つまり、点灯させる）機能と可視光通信の機能とを有する装置であり、定電流電源装置１１、ローパスフィルタ１２及び変調部１３を備える。
【００１５】
定電流電源装置１１は、交流電源（商用電源）１５からの交流電力が入力され、１つまたは並列接続された複数のスイッチング素子を用いた一段の電力変換によって、力率の改善及び負荷への定電流の供給を行う、いわゆるワンコンバータ方式の定電流電源である。本実施の形態では、１つのスイッチング素子が用いられているが、大電力が扱われる場合には、並列接続された複数のスイッチング素子が用いられてもよい。
【００１６】
変調部１３は、定電流電源装置１１と、定電流電源装置１１から供給された定電流により点灯する光源１４との間に設けられ、光源１４を流れる電流を所定の変調周波数でオンオフする変調回路である。言い換えると、変調部１３は、光源１４を流れる電流の導通、非導通を所定の変調周波数で切り替える変調回路である。なお、定電流電源装置１１と光源１４との間とは、回路図上での間を意味する。つまり、変調部１３の基板上等での配置位置は、定電流電源装置１１と光源１４との間でなくてもよい。
【００１７】
ローパスフィルタ１２は、定電流電源装置１１と変調部１３との間に設けられるフィルタである。なお、定電流電源装置１１と変調部１３との間とは、回路図上での間を意味する。つまり、ローパスフィルタ１２の基板上等での配置位置は、定電流電源装置１１と変調部１３との間でなくてもよい。
【００１８】
このような構成により、点灯装置１０は、可視光通信が可能となりデータ通信装置にもなる。また、点灯装置１０では、光源１４への定電流の供給が行われるため、光源１４を構成するＬＥＤの直列接続数が変更になった場合でも、各ＬＥＤの順方向電圧を一定に保つことができる。
【００１９】
次に、点灯装置１０の具体的な回路構成について説明する。
【００２０】
図２は、実施の形態１に係る点灯装置１０の回路図である。なお、図２には、点灯装置１０に交流電力を供給する交流電源１５及び光源１４も示している。
【００２１】
定電流電源装置１１は、全波整流器ＤＢ１、スイッチコントローラＳＣ１、フォトカプラＰＣ１、フィードバック制御回路ＦＢＣ１、キャパシタＣ１及びＣ２、ダイオードＤ１、トランジスタＱ１、抵抗Ｒ１及びＲ２、変圧器Ｔ１で構成される。トランジスタＱ１は、例えばＭＯＳＦＥＴであり、定電流電源装置１１が一段の電力変換によって力率の改善及び負荷への定電流の供給を行うために用いるスイッチング素子の一例である。定電流電源装置１１は、交流電源１５（商用電源）からの交流電力（例えば、交流１００Ｖ）を全波整流器ＤＢ１で全波整流した後、変圧器Ｔ１の１次巻線に直列に接続されたトランジスタＱ１のスイッチング動作により２次側に電気エネルギーを伝達し、ダイオードＤ１及びキャパシタＣ２（平滑コンデンサ）により直流電力を出力する。
【００２２】
キャパシタＣ１及び抵抗Ｒ１は、変圧器Ｔ１において生じる逆起電圧からトランジスタＱ１を保護するための素子である。
【００２３】
スイッチコントローラＳＣ１は、フィードバック制御回路ＦＢＣ１からの制御信号に応じてトランジスタＱ１のスイッチング動作を行う。具体的には、スイッチコントローラＳＣ１及びフィードバック制御回路ＦＢＣ１は、交流電源１５の１周期において、トランジスタＱ１のオン時間を略一定としつつ、光源１４への出力電流Ｉｏｕｔが目標値となるようにフィードバック制御を行う。より具体的には、フィードバック制御回路ＦＢＣ１は、抵抗Ｒ２（検出抵抗）により検出した出力電流Ｉｏｕｔに応じた信号を、フォトカプラＰＣ１を介してスイッチコントローラＳＣ１に通知することで、フィードバック制御を行う。これにより、力率の改善及び負荷（光源１４）への定電流の供給が行われる。なお、定電流電源装置１１は、図２に示されるように、絶縁型フライバックコンバータであるが、昇圧チョッパ回路によって実現されてもよい。
【００２４】
光源１４は、例えば、直列に接続された複数のＬＥＤ１〜ＬＥＤ５で構成される。なお、光源１４を構成する発光素子は、ＬＥＤに限らず、有機ＥＬ、無機ＥＬ等の他の発光素子であってもよい。また、光源１４は、直列に接続された複数のＬＥＤに限らず、１個のＬＥＤで構成されてもよいし、並列に接続された複数のＬＥＤで構成されてもよいし、直列に接続された複数のＬＥＤセットが並列に接続されて構成されてもよい。
【００２５】
変調部１３は、可視光通信用の信号に基づいてスイッチング素子であるトランジスタＱ２をオンオフさせる変調回路である。変調部１３は、定電圧レギュレータＲＥＧ１、マイコン（マイクロコンピュータ）ＭＣＵ１、トランジスタＱ２で構成される。変調部１３での変調方式には、例えば４値パルス位置変調（４ＰＰＭ）が使用される。
【００２６】
トランジスタＱ２は、可視光通信用のスイッチング素子であり、例えば、ＭＯＳＦＥＴである。トランジスタＱ２によって、光源１４が所定の変調周波数として例えば９．６ｋＨｚで高速にオンオフされることで、光変調が行われる。９．６ｋＨｚでの光源１４のオンオフは、人には感じられないため、点灯装置１０を一般照明用として用いつつ、データ通信装置としても用いることができる。
【００２７】
定電圧レギュレータＲＥＧ１は、定電流電源装置１１の出力電圧から、変調部１３の内部の回路を動作させるための定電圧の電源電圧を生成する回路モジュールである。定電圧レギュレータＲＥＧ１は、例えば、５Ｖの電源電圧を出力する小型のスイッチングレギュレータ又はシリーズレギュレータ等である。
【００２８】
マイコンＭＣＵ１は、定電圧レギュレータＲＥＧ１で生成された電源電圧で動作するマイクロコンピュータである。マイコンＭＣＵ１は、例えば、プログラムを保持するＲＯＭ、一時的な記憶領域としてのＲＡＭ、プログラムを実行するプロセッサ、Ａ／Ｄコンバータ及びＤ／Ａコンバータ等の入出力回路、カウンタ・タイマ等で構成されるＬＳＩである。マイコンＭＣＵ１は、変調回路の一部として機能する。具体的には、マイコンＭＣＵ１は、内蔵のプログラムに従って、可視光通信用の信号に基づいてトランジスタＱ２をオンオフさせるための駆動信号を出力する。可視光通信用の信号は、内蔵のプログラムによって決定される固定の文字列、あるいは、動的に変化し得る文字列等である。これにより、光源１４から識別信号を送信することが可能となる。
【００２９】
ローパスフィルタ１２は、光源１４に供給される定電流に重畳されるリップルを吸収するリップル吸収部１２ａと、光源１４の両端電圧を平滑する定電圧部１２ｂとで構成される。例えば、リップル吸収部１２ａは、定電流電源装置１１と変調部１３との間で直列接続されたインダクタＬ１により構成され、定電圧部１２ｂは、変調部１３及び光源１４に並列接続されたキャパシタＣ３により構成される。つまり、ローパスフィルタ１２は、ＬＣフィルタである。詳細は後述するが、ローパスフィルタ１２により、変調部１３でのトランジスタＱ２のスイッチングによる急峻な電流変化による出力電流Ｉｏｕｔへの影響が抑制される。
【００３０】
なお、定電流電源装置１１、ローパスフィルタ１２、変調部１３及び光源１４は、１つの基板上に設けられてもよいし、一部若しくは全てが別の基板上に設けられていてもよい。
【００３１】
ここで、ローパスフィルタ１２のフィルタ特性について説明する。
【００３２】
図３は、実施の形態１に係るローパスフィルタ１２のフィルタ特性を示す図である。具体的には、図３は、ローパスフィルタ１２のゲイン特性を示している。ｆｍは変調部１３でのトランジスタＱ２をオンオフする際の所定の変調周波数を示しており、ｆｃは、ローパスフィルタ１２の遮断周波数を示している。
【００３３】
ローパスフィルタ１２の遮断周波数ｆｃは、所定の変調周波数ｆｍの１／１０以下である。例えば、所定の変調周波数ｆｍは、上述したように９．６ｋＨｚであり、遮断周波数ｆｃは、０．９６ｋＨｚである。また、遮断周波数ｆｃは、交流電源１５の周波数（５０Ｈｚ又は６０Ｈｚ）よりも小さいことが好ましい。しかし、交流電源１５の周波数成分も遮断するようにローパスフィルタ１２を構成した場合、インダクタＬ１等のサイズが大きくなってしまうため、本実施の形態では、遮断周波数ｆｃは交流電源１５の周波数よりも大きくなっている。
【００３４】
また、所定の変調周波数ｆｍにおけるインダクタＬ１のインピーダンスは、光源１４のインピーダンスの１／１０以上である。光源１４のインピーダンスをＺｏ、光源１４の両端電圧をＶＬＥＤ、光源１４を流れる電流をＩｆ、インダクタＬ１のインピーダンスをＺＬ、インダクタＬ１のインダクタンスをＬとした場合、Ｚｏ＝ＶＬＥＤ／Ｉｆで表され、ＺＬ＝２π・ｆｍ・Ｌで表される。また、インピーダンスＺＬとインピーダンスＺｏとの関係式は、ＺＬ≧Ｚｏ／１０となる。所定の変調周波数ｆｍが９．６ｋＨｚにおいて、ＺＬ＝Ｚｏ／１０となるインダクタＬ１のインダクタンスＬは、例えば１ｍＨである。このように、インダクタＬ１のインピーダンスＺＬが光源１４のインピーダンスＺｏの１／１０以上となるようにインダクタＬ１のインダクタンスＬが設計されることで、ローパスフィルタ１２のフィルタリング機能が実現される。
【００３５】
次に、光源１４に流れる電流Ｉｆ及び定電流電源装置１１から出力される出力電流Ｉｏｕｔの電流波形について説明する。まず、比較例として、ローパスフィルタ１２におけるリップル吸収部１２ａが短絡された場合の、電流Ｉｆ及び出力電流Ｉｏｕｔの電流波形について説明する。
【００３６】
図４の（ａ）は、比較例に係る光源１４を流れる電流Ｉｆを示す図であり、図４の（ｂ）は、比較例に係る定電流電源装置１１の出力電流Ｉｏｕｔを示す図である。
【００３７】
図４の（ａ）に示されるように、電流Ｉｆには、変調部１３でのトランジスタＱ２のオン及びオフが周期的に繰り返されることで、急峻な電流変化が生じている。比較例では、リップル吸収部１２ａが短絡されているため、電流Ｉｆの急峻な電流変化は、図４の（ｂ）に示されるように、出力電流Ｉｏｕｔにリップルとして重畳される。
【００３８】
フィードバック制御回路ＦＢＣ１は、基本的に交流電源１５の周波数以下で応答ゲインが高くなるように設計されているが、当該周波数以上であっても応答ゲインが例えば−４０ｄＢ程度となっており、少なからず応答するように設計されている。これは、応答速度の向上やオーバーシュート抑制のためである。したがって、図４の（ｂ）に示されるように、出力電流Ｉｏｕｔにリップルが重畳される場合、フィードバック制御回路ＦＢＣ１は、当該リップルにも応答してしまう。これにより、スイッチコントローラＳＣ１は当該リップルにも応じてトランジスタＱ１のスイッチングを行ってしまうため、トランジスタＱ１のスイッチングのデューティ比に乱れが生じ、定電流電源装置１１での定電流制御が不安定となる。
【００３９】
次に、ローパスフィルタ１２におけるリップル吸収部１２ａが短絡されていない場合の、本実施の形態における電流Ｉｆ及び出力電流Ｉｏｕｔの電流波形について説明する。
【００４０】
図５の（ａ）は、実施の形態１に係る光源１４を流れる電流Ｉｆを示す図であり、図５の（ｂ）は、実施の形態１に係る定電流電源装置１１の出力電流Ｉｏｕｔを示す図である。
【００４１】
図５の（ａ）に示されるように、比較例と同様、電流Ｉｆには、変調部１３でのトランジスタＱ２のオン及びオフが周期的に繰り返されることで、急峻な電流変化が生じている。本実施の形態においても、電流Ｉｆの急峻な電流変化は、図５の（ｂ）に示されるように、出力電流Ｉｏｕｔに若干重畳されている。しかし、リップル吸収部１２ａによってリップルが吸収されることで、比較例と比べて、電流Ｉｆの急峻な電流変化による振動が大きく抑制されていることがわかる。したがって、定電流電源装置１１での定電流制御が安定する。
【００４２】
以上説明したように、本実施の形態に係る点灯装置１０は、交流電力が入力され、一段の電力変換によって、力率の改善及び負荷への定電流の供給を行う定電流電源装置１１と、定電流電源装置１１と、定電流電源装置１１から供給された定電流により点灯する光源１４との間に設けられ、光源１４を流れる電流を所定の変調周波数ｆｍでオンオフする変調部１３と、変調部１３と定電流電源装置１１との間に設けられたローパスフィルタ１２と、を備える。ローパスフィルタ１２は、定電流に重畳されるリップルを吸収するリップル吸収部１２ａを含む。
【００４３】
ワンコンバータ方式の定電流電源を用いた点灯装置では、例えば可視光通信用の変調部１３におけるスイッチングに由来する負荷変動により定電流（出力電流Ｉｏｕｔ）にリップルが重畳すると、定電流を発生させるためのフィードバック回路（例えばスイッチコントローラＳＣ１及びフィードバック制御回路ＦＢＣ１）が当該リップルの影響を受け、定電流制御が不安定となる。これに対して、点灯装置１０は、ローパスフィルタ１２に含まれるリップル吸収部１２ａによって当該リップルが吸収されるため、ワンコンバータ方式の定電流電源装置１１を用いているにも関わらず、負荷変動に対して安定して動作できる。したがって、ワンコンバータ方式の定電流電源を用いた点灯装置であって、負荷変動に対して安定して動作でき、かつ、ツーコンバータ方式よりも小型で低コストな点灯装置を実現できる。
【００４４】
また、ローパスフィルタ１２の遮断周波数ｆｃは、所定の変調周波数ｆｍの１／１０以下であってもよい。
【００４５】
これにより、所定の変調周波数ｆｍは、ローパスフィルタ１２の遮断周波数ｆｃよりも１０倍以上大きくなるため、所定の変調周波数ｆｍの周波数成分を効果的に遮断することができる。
【００４６】
また、リップル吸収部１２ａは、インダクタＬ１により構成されていてもよい。
【００４７】
これにより、リップル吸収部１２ａをインダクタによって容易に実現できる。
【００４８】
また、所定の変調周波数ｆｍにおけるインダクタＬ１のインピーダンスＺＬは、光源１４のインピーダンスＺｏの１／１０以上であってもよい。
【００４９】
これにより、リップルを効果的に吸収できる。また、ローパスフィルタ１２をＬＣフィルタで構成する場合、インダクタＬ１のインピーダンス（インダクタンス）を大きくするほど、キャパシタＣ３のキャパシタンスを小さくすることができ、キャパシタＣ３のサイズを小さくできる。
【００５０】
また、ローパスフィルタ１２は、さらに、光源１４の両端電圧を平滑する定電圧部１２ｂを含んでいてもよい。
【００５１】
これにより、光源１４の両端電圧が平滑されて、リップルをより効果的に吸収できる。
【００５２】
また、定電圧部１２ｂは、キャパシタＣ３により構成されていてもよい。
【００５３】
これにより、定電圧部１２ｂをキャパシタによって容易に実現できる。
【００５４】
（実施の形態２）
次に、実施の形態２として、上記実施の形態に係る点灯装置１０の応用例を説明する。
【００５５】
図６は、実施の形態２の応用例に係る照明器具２０の外観図である。照明器具２０は、部屋の天井、壁又は柱等に設置されるスポットライトであり、回路ボックス２１、灯体２２及び配線２３を備える。回路ボックス２１は、上記実施の形態に係る点灯装置１０を収納しているボックスである。灯体２２は、光源１４としてのＬＥＤ電球を収納している。配線２３は、回路ボックス２１と灯体２２に収納されたＬＥＤ電球とを電気的に接続する負荷配線の一例である。
【００５６】
このような照明器具２０は、上記実施の形態に係る点灯装置１０を備えるので、照明と可視光通信とを同時に行う。
【００５７】
なお、本図では、照明器具２０として、スポットライトが示されたが、点灯装置１０の応用例に係る照明器具としては、スポットライトに限られない。シャンデリア、シーリングライト、スタンド、和風照明、ブラケット、フットライト、ペンダント、ベースライト、ダウンライト、キッチンライト、浴室灯、エクステリアライト等であってもよい。
【００５８】
図７は、実施の形態２の応用例に係る看板３０の外観図である。看板３０は、光源１４としてのＬＥＤ電球（図示せず）とＬＥＤ電球に電流を印加する上記実施の形態に係る点灯装置１０を収納している筐体３１、及び、表示板３２を備える。表示板３２は、光源１４（ＬＥＤ電球等）によって裏面から照らされ、文字及び図形の少なくとも一つを示す表示板であり、例えば、文字が刻まれた半透明の樹脂基板である。
【００５９】
このような看板３０は、上記実施の形態に係る点灯装置１０を備えるので、表示板３２による文字等の表示と可視光通信とを同時に行う。可視光通信では、例えば、表示板３２に表示された文字を示すデータ、及び／又は、看板３０が設置された場所を示すデータが照明光に重畳されて送信される。
【００６０】
なお、図７の看板３０では、光源１４としてのＬＥＤと表示板３２とは別体であったが、一体化されていてもよい。筐体３１内に、複数のＬＥＤを並べて配置し、それら複数のＬＥＤの発光色を制御することで、複数のＬＥＤを、表示板として、文字及び図形の少なくとも一つを表示させてもよい。
【００６１】
（その他の実施の形態）
以上、本発明に係る点灯装置、照明器具及び看板について、実施の形態１及び２に基づいて説明したが、本発明は、これらの実施の形態に限定されるものではない。本発明の主旨を逸脱しない限り、当業者が思いつく各種変形を実施の形態１及び２に施したものや、実施の形態１及び２における一部の構成要素を組み合わせて構築される別の形態も、本発明の範囲内に含まれる。
【００６２】
例えば、上記実施の形態では、ローパスフィルタ１２は、π型ＬＣフィルタであったが、他のラダー型フィルタであってもよい。
【００６３】
また、例えば、リップル吸収部１２ａは、インダクタであったが、光源１４に供給される定電流に重畳されるリップルを吸収する機能を有していればバリスタ等の抵抗であってもよい。
【００６４】
また、例えば、定電圧部１２ｂは、キャパシタであったが、光源１４の両端電圧を平滑する機能を有していれば定電圧ダイオード又は抵抗等であってもよい。
【符号の説明】
【００６５】
１０  点灯装置
１１  定電流電源装置
１２  ローパスフィルタ
１２ａ  リップル吸収部
１２ｂ  定電圧部
１３  変調部
１４  光源
２０  照明器具
３０  看板
３２  表示板
Ｃ３  キャパシタ
Ｌ１  インダクタ
【図１】
2019061798.tif 000003
【図２】
2019061798.tif 000004
【図３】
2019061798.tif 000005
【図４】
2019061798.tif 000006
【図５】
2019061798.tif 000007
【図６】
2019061798.tif 000008
【図７】
2019061798.tif 000009